(57)【要約】【課題】外部記憶媒体の残容量が少ない場合であっても、原稿から読み取った画像データを確実に外部記憶媒体に記憶させることが可能な画像処理装置を提供する。【解決手段】制御部１０は、原稿読取部１５によって原稿から読み取った画像データをＵＳＢメモリ５に記憶させる場合、ＵＳＢメモリ５の残容量を検出する。制御部１０は、ＵＳＢメモリ５の残容量が十分でない場合、ＵＳＢメモリ５に既に記憶してある画像データをＨＤＤ２１に一時的に退避させてＵＳＢメモリ５の空き容量を増加させた後、原稿から読み取った画像データをＵＳＢメモリ５に記憶させる。また、制御部１０は、装着ポート２２ａにＵＳＢメモリ５が接続された場合、ＨＤＤ２１に退避データが記憶されていれば、ユーザからの指示に従って退避データをＵＳＢメモリ５へ戻す。【選択図】図２
2008028557.tif 000002
【特許請求の範囲】
【請求項１】
外部記憶媒体の着脱が可能な装着部と、原稿を読み取って画像データを取得する原稿読取手段と、該原稿読取手段が取得した画像データを、前記装着部に装着された外部記憶媒体に記憶させる記憶制御手段とを備える画像処理装置において、
前記記憶制御手段が前記画像データを前記外部記憶媒体に記憶させる場合、前記外部記憶媒体の残容量を検出する検出手段と、
該検出手段が検出した残容量に基づいて、前記画像データを前記外部記憶媒体に記憶させることが可能であるか否かを判断する判断手段と、
該判断手段による判断結果が否であり、前記外部記憶媒体にデータが記憶されている場合、前記外部記憶媒体から前記データを退避させる退避手段と
を備え、
前記記憶制御手段は、前記退避手段が前記データを退避させた後に、前記画像データを前記外部記憶媒体に記憶させるように構成してあることを特徴とする画像処理装置。
【請求項２】
前記判断手段による判断結果が否であり、前記外部記憶媒体にデータが記憶されている場合、前記データを退避させるか否かの指示を受け付ける退避指示受付手段を備え、
前記退避手段は、前記退避指示受付手段が前記データを退避させる指示を受け付けた場合、前記データを退避させるように構成してあることを特徴とする請求項１に記載の画像処理装置。
【請求項３】
前記判断手段による判断結果が否であり、前記外部記憶媒体に１又は複数のデータが記憶されている場合、前記外部記憶媒体に記憶してあるデータの内から、退避させるデータの選択を受け付ける手段を備え、
前記退避指示受付手段は、選択されたデータを退避させる指示を受け付けるように構成してあることを特徴とする請求項２に記載の画像処理装置。
【請求項４】
前記外部記憶媒体に記憶してあるデータの退避先を受け付ける退避先受付手段を備え、
前記退避手段は、前記退避先受付手段が受け付けた退避先へ、前記データを退避させるように構成してあることを特徴とする請求項１乃至３のいずれかひとつに記載の画像処理装置。
【請求項５】
前記退避手段は、
前記外部記憶媒体に記憶してあるデータを前記外部記憶媒体から読み出す読出手段と、
該読出手段が読み出したデータを前記外部記憶媒体から消去する消去手段と
を備えることを特徴とする請求項１乃至４のいずれかひとつに記載の画像処理装置。
【請求項６】
前記読出手段が読み出したデータを記憶するデータ記憶手段を備え、
前記記憶制御手段は、前記データ記憶手段に記憶してあるデータを、前記装着部に装着された外部記憶媒体に記憶させるように構成してあることを特徴とする請求項５に記載の画像処理装置。
【請求項７】
前記データ記憶手段に記憶してあるデータを前記外部記憶媒体に記憶させるか否かの指示を受け付ける記憶指示受付手段を備え、
前記記憶制御手段は、前記記憶指示受付手段が前記データを前記外部記憶媒体に記憶させる指示を受け付けた場合、前記データを前記外部記憶媒体に記憶させるように構成してあることを特徴とする請求項６に記載の画像処理装置。
【請求項８】
前記データ記憶手段に複数のデータが記憶されている場合、前記データ記憶手段に記憶してあるデータの内から、前記外部記憶媒体に記憶させるデータの選択を受け付ける手段を備え、
前記記憶指示受付手段は、選択されたデータを前記外部記憶媒体に記憶させる指示を受け付けるように構成してあることを特徴とする請求項７に記載の画像処理装置。
【発明の詳細な説明】
【技術分野】
【０００１】
本発明は、外部記憶媒体の装着が可能な画像処理装置に関する。特に、原稿から読み取った画像データを外部記憶媒体に記憶させる際に前記外部記憶媒体に空き容量がない場合には、既に外部記憶媒体に記憶されているデータを一時的に退避させることにより外部記憶媒体に空き領域を確保することが可能な画像処理装置に関する。
【背景技術】
【０００２】
画像処理装置として、記録用紙に記録された画像を走査して画像データを取り込み、取り込んだ画像データに基づく画像を形成して画像出力する複写機能、取り込んだ画像データを外部の装置へ送信する送信機能、ファクシミリ通信を用いて他のファクシミリ装置との間でデータを送受信するファクシミリ機能、及び通信線等を介して外部の装置から取得したデータを画像出力するプリンタ機能等、複数の機能を搭載したデジタル複合機（以下、ＭＦＰ：Multi Function Peripheralという）が普及している。
【０００３】
一方、パーソナルコンピュータ（以下、ＰＣという）を利用して作成した文書データ及び画像データ等の各種データを他のＰＣで利用する際に用いる可搬型記憶媒体としては、従来はフレキシブルディスクが一般的であった。しかし、近年では、可搬型記憶媒体として、大容量の記憶容量を有すると共に、機械的な可動部分がないため、耐久性及び耐振動性が高いＵＳＢ（Universal Serial Bus）メモリが、小型軽量化が進んだことも相俟って、フレキシブルディスクに取って代わろうとしている。ＵＳＢメモリは、ＵＳＢマスストレージクラスに準拠しており、ＵＳＢの接続口があるＰＣであれば新たなドライバをインストールせずともアクセスできるため、利便性が高く注目されている。
【０００４】
そこで、このようなＵＳＢメモリの装着が可能であり、記録用紙から取り込んだ画像データをＵＳＢメモリに記憶する構成を備えたＭＦＰが提供されている。これにより、例えば、ＭＦＰが外部のＰＣとの間でデータの送受信を行なえない状況であっても、ＭＦＰによって記録用紙から取り込んだ画像データをＵＳＢメモリを介してＰＣで利用することができる。
【０００５】
特許文献１では、可搬型記憶媒体であるＩＣ（Integrated Circuit）メモリカードの着脱が可能であり、ファクシミリ通信によって受信した受信データをＩＣメモリカードに順次記憶する構成を備えたファクシミリ装置が開示されている。特許文献１で示されたファクシミリ装置は、受信データの受信中にＩＣメモリカードに空き領域がなくなった場合、自動的にファクシミリ装置の本体内部のメモリに受信データを一時的に記憶させるように構成されている。これにより、受信データを記憶させるＩＣメモリカードに空き領域がなくなった場合であっても、受信データの受信処理を中断することなく、全ての受信データを受信することができる。
【特許文献１】特開平８−２２８２７３号公報
【発明の開示】
【発明が解決しようとする課題】
【０００６】
上述した特許文献１のファクシミリ装置では、ユーザは、本体内部のメモリに記憶された受信データを取得する場合、十分な空き領域を有するＩＣメモリカードを再度ファクシミリ装置に装着する必要がある。また、ＵＳＢメモリの装着が可能なＭＦＰにおいても、原稿から読み取った画像データをＵＳＢメモリに記憶させる際に、ＵＳＢメモリの空き容量が不足している場合、ユーザは、十分な空き容量を有するＵＳＢメモリを再度ＭＦＰに装着する必要がある。具体的には、ユーザは、空き容量が不足しているＵＳＢメモリを一旦ＭＦＰから取り外してＰＣに接続し、ＰＣを利用してＵＳＢメモリ内の不要なデータを消去又はＰＣのハードディスク等へ退避させることにより空き容量を増加させた後、再度ＭＦＰに装着する必要があり、ユーザの負担が増大するという問題がある。
【０００７】
本発明は斯かる事情に鑑みてなされたものであり、その目的とするところは、外部記憶媒体に画像データを記憶させる際に外部記憶媒体の残容量が不足している場合であっても、外部記憶媒体の残容量を例えばＰＣを利用して増加させるという手間を掛けることなく、外部記憶媒体の残容量を確保することができるようにし、ユーザの負担を軽減することが可能な画像処理装置を提供することにある。
【０００８】
本発明の他の目的は、装着された外部記憶媒体に十分な残容量を確保する場合、外部記憶媒体内のデータを退避させるか否かの選択が可能な画像処理装置を提供することにある。また、本発明の他の目的は、装着された外部記憶媒体に十分な残容量を確保する際に、外部記憶媒体に記憶してある任意のデータを退避させることが可能な画像処理装置を提供することにある。更に、本発明の他の目的は、装着された外部記憶媒体に十分な残容量を確保する際に、外部記憶媒体に記憶してあるデータを任意の退避先に退避させることが可能な画像処理装置を提供することにある。
【０００９】
本発明の他の目的は、外部記憶媒体に記憶してあるデータを消去することにより、装着された外部記憶媒体に十分な残容量を確実に確保することが可能な画像処理装置を提供することにある。また、本発明の他の目的は、外部記憶媒体から退避させたデータを一時的に記憶させておき、必要に応じて外部記憶媒体から退避させたデータを再度外部記憶媒体に記憶させることにより、退避させたデータを再利用することが可能な画像処理装置を提供することにある。
【００１０】
本発明の他の目的は、外部記憶媒体から退避させたデータを再度外部記憶媒体に記憶させる際に外部記憶媒体に記憶させるか否かの選択が可能な画像処理装置を提供することにある。また、本発明の他の目的は、再度外部記憶媒体に記憶させるデータを任意に選択することが可能な画像処理装置を提供することにある。
【課題を解決するための手段】
【００１１】
本発明に係る画像処理装置は、外部記憶媒体の着脱が可能な装着部と、原稿を読み取って画像データを取得する原稿読取手段と、該原稿読取手段が取得した画像データを、前記装着部に装着された外部記憶媒体に記憶させる記憶制御手段とを備える画像処理装置において、前記記憶制御手段が前記画像データを前記外部記憶媒体に記憶させる場合、前記外部記憶媒体の残容量を検出する検出手段と、該検出手段が検出した残容量に基づいて、前記画像データを前記外部記憶媒体に記憶させることが可能であるか否かを判断する判断手段と、該判断手段による判断結果が否であり、前記外部記憶媒体にデータが記憶されている場合、前記外部記憶媒体から前記データを退避させる退避手段とを備え、前記記憶制御手段は、前記退避手段が前記データを退避させた後に、前記画像データを前記外部記憶媒体に記憶させるように構成してあることを特徴とする。
【００１２】
本発明によれば、外部記憶媒体の着脱が可能な画像処理装置が、原稿を読み取って取得した画像データを外部記憶媒体に記憶させる際に外部記憶媒体に十分な残容量がない場合、外部記憶媒体に記憶してあるデータを退避させた後、原稿から読み取った画像データを外部記憶媒体に記憶させる。よって、外部記憶媒体の残容量を確保し、原稿から読み取った画像データを外部記憶媒体に記憶させることが可能となる。
【００１３】
本発明に係る画像処理装置は、前記判断手段による判断結果が否であり、前記外部記憶媒体にデータが記憶されている場合、前記データを退避させるか否かの指示を受け付ける退避指示受付手段を備え、前記退避手段は、前記退避指示受付手段が前記データを退避させる指示を受け付けた場合、前記データを退避させるように構成してあることを特徴とする。
【００１４】
本発明によれば、原稿を読み取って取得した画像データを外部記憶媒体に記憶させる際に外部記憶媒体に十分な残容量がない場合、外部記憶媒体に記憶してあるデータを退避させるか否かの指示を外部から受け付け、前記指示を受け付けた場合に外部記憶媒体に記憶してあるデータを退避させる。よって、外部記憶媒体に十分な残容量を確保する場合に、外部記憶媒体に記憶してあるデータを退避させるか否かを選択することが可能となる。
【００１５】
本発明に係る画像処理装置は、前記判断手段による判断結果が否であり、前記外部記憶媒体に１又は複数のデータが記憶されている場合、前記外部記憶媒体に記憶してあるデータの内から、退避させるデータの選択を受け付ける手段を備え、前記退避指示受付手段は、選択されたデータを退避させる指示を受け付けるように構成してあることを特徴とする。
【００１６】
本発明によれば、原稿を読み取って取得した画像データを外部記憶媒体に記憶させる際に外部記憶媒体に十分な残容量がない場合、外部記憶媒体に記憶してあるデータの内から、退避させるデータの選択を外部から受け付け、選択されたデータを退避させる。よって、外部記憶媒体に記憶してあるデータを退避させて外部記憶媒体に十分な残容量を確保する場合に、任意のデータを退避させることが可能となる。
【００１７】
本発明に係る画像処理装置は、前記外部記憶媒体に記憶してあるデータの退避先を受け付ける退避先受付手段を備え、前記退避手段は、前記退避先受付手段が受け付けた退避先へ、前記データを退避させるように構成してあることを特徴とする。
【００１８】
本発明によれば、原稿を読み取って取得した画像データを外部記憶媒体に記憶させる際に外部記憶媒体に十分な残容量がない場合、外部記憶媒体に記憶してあるデータを退避させる退避先を受け付け、受け付けた退避先へ前記データを退避させる。よって、外部記憶媒体に記憶してあるデータを退避させて外部記憶媒体に十分な残容量を確保する場合に、任意の退避先へデータを退避させることが可能となる。
【００１９】
本発明に係る画像処理装置は、前記退避手段は、前記外部記憶媒体に記憶してあるデータを前記外部記憶媒体から読み出す読出手段と、該読出手段が読み出したデータを前記外部記憶媒体から消去する消去手段とを備えることを特徴とする。
【００２０】
本発明によれば、原稿を読み取って取得した画像データを外部記憶媒体に記憶させる際に外部記憶媒体に十分な残容量がない場合、外部記憶媒体に記憶してあるデータを外部記憶媒体から読み出し、読み出したデータを外部記憶媒体から消去する。よって、原稿から読み取った画像データを記憶させるための十分な残容量を外部記憶媒体に確実に確保することが可能となる。
【００２１】
本発明に係る画像処理装置は、前記読出手段が読み出したデータを記憶するデータ記憶手段を備え、前記記憶制御手段は、前記データ記憶手段に記憶してあるデータを、前記装着部に装着された外部記憶媒体に記憶させるように構成してあることを特徴とする。
【００２２】
本発明によれば、外部記憶媒体に十分な残容量を確保するために外部記憶媒体から読み出したデータをデータ記憶手段に記憶させておき、必要に応じて外部記憶媒体に再度記憶させる。よって、一時的にデータ記憶手段に退避させたデータを、必要に応じて外部記憶媒体に戻すことが可能となる。
【００２３】
本発明に係る画像処理装置は、前記データ記憶手段に記憶してあるデータを前記外部記憶媒体に記憶させるか否かの指示を受け付ける記憶指示受付手段を備え、前記記憶制御手段は、前記記憶指示受付手段が前記データを前記外部記憶媒体に記憶させる指示を受け付けた場合、前記データを前記外部記憶媒体に記憶させるように構成してあることを特徴とする。
【００２４】
本発明によれば、データ記憶手段に記憶させてあるデータを外部記憶媒体に記憶させるか否かの指示を外部から受け付け、前記指示を受け付けた場合に前記データを外部記憶媒体に記憶させる。よって、データ記憶手段に一時的に退避させておいたデータを外部記憶媒体に戻す場合に、外部記憶媒体に戻すか否かを選択することが可能となる。
【００２５】
本発明に係る画像処理装置は、前記データ記憶手段に複数のデータが記憶されている場合、前記データ記憶手段に記憶してあるデータの内から、前記外部記憶媒体に記憶させるデータの選択を受け付ける手段を備え、前記記憶指示受付手段は、選択されたデータを前記外部記憶媒体に記憶させる指示を受け付けるように構成してあることを特徴とする。
【００２６】
本発明によれば、データ記憶手段には複数のデータが記憶されており、データ記憶手段に記憶させてあるデータを外部記憶媒体に戻す場合に、データ記憶手段に記憶してあるデータの内から、外部記憶媒体に戻すべきデータの選択を外部から受け付け、選択されたデータを外部記憶媒体に記憶させる。よって、外部記憶媒体から一時的に退避させたデータを外部記憶媒体に戻す場合に、任意のデータを選択することが可能となる。
【発明の効果】
【００２７】
本発明では、外部記憶媒体の着脱が可能な画像処理装置が、原稿を読み取って取得した画像データを外部記憶媒体に記憶させる際に外部記憶媒体に十分な残容量がない場合、外部記憶媒体に既に記憶されているデータを退避させる。これにより、例えばＰＣを利用することなく、外部記憶媒体の残容量を確保することができ、原稿から読み取った画像データを外部記憶媒体に確実に記憶させることができると共に、その際のユーザの負担を軽減することができる。
【００２８】
本発明では、外部記憶媒体に記憶してあるデータを退避させる場合、退避させるか否かの指示を外部から受け付ける。これにより、外部記憶媒体に記憶してあるデータを退避させたくない場合には、データの退避処理を中断させることができる。
【００２９】
本発明では、外部記憶媒体に記憶してあるデータを退避させる場合、外部記憶媒体から退避させるデータを任意に選択することができる。また、本発明では、外部記憶媒体に記憶してあるデータを退避させる退避先を任意に選択することができる。
【００３０】
本発明では、外部記憶媒体に記憶してあるデータを外部記憶媒体から読み出し、読み出したデータを外部記憶媒体から消去することにより、外部記憶媒体に十分な残容量を確実に確保することができ、原稿を読み取って取得した画像データを外部記憶媒体に確実に記憶させることができる。また、本発明では、外部記憶媒体から読み出したデータをデータ記憶手段に一時的に記憶させておき、必要に応じて外部記憶媒体に再度記憶させることにより、退避させたデータを再利用することができる。
【００３１】
本発明では、データ記憶手段に一時的に退避させたデータを外部記憶媒体に再度記憶させるか否かの指示を外部から受け付けることにより、データ記憶手段に退避させたデータを外部記憶媒体に戻したくない場合には、データの外部記憶媒体への記憶処理を中断させることができる。また、本発明では、データ記憶手段に一時的に退避させたデータを外部記憶媒体に再度記憶させる際に外部記憶媒体に記憶させるデータを任意に選択することができる。
【発明を実施するための最良の形態】
【００３２】
以下に、本発明に係る画像処理装置をその実施の形態であるＭＦＰを示す図面に基づいて詳述する。図１は本発明に係る画像処理装置としてのＭＦＰを含むネットワーク構成例を示す模式図であり、図中１は本発明の画像処理装置であるＭＦＰを示している。ＭＦＰ１は、ＬＡＮ（Local Area Network）を介して複数のコンピュータ（以下、ＰＣという）２，２と接続されている。また、ＭＦＰ１は、公衆電話交換網ＰＳＴＮを介して外部のＭＦＰ３及びファクシミリ装置４とも接続されている。なお、ＬＡＮには図示されている他にも多数のＰＣが接続されており、公衆電話交換網ＰＳＴＮには図示されている他にも多数のＭＦＰ及びファクシミリ装置が接続されていることは言うまでもない。従って、ＭＦＰ１は、ＬＡＮを介して複数のＰＣ２，２と、公衆電話交換網ＰＳＴＮを介して他のＭＦＰ３及びファクシミリ装置４と通信可能である。
【００３３】
図２は本発明に係るＭＦＰ１の内部構成例を示すブロック図であり、ＭＦＰ１は、ＣＰＵ（Central Processing Unit ）又はＭＰＵ（Micro Processor Unit）等で構成してある制御部１０を備えている。制御部１０は、バス１０ａを介して、ＲＯＭ１１、ＲＡＭ１２、ＮＣＵ（Network Control Unit）１３、モデム１４、原稿読取部１５、画像メモリ１６、画像形成部１７、操作部１８、操作パネル１９、ＬＡＮに接続するためのＬＡＮインタフェース２０、ＨＤＤ（Hard Disk Drive ）２１、ＵＳＢメモリ５にアクセスするためのＵＳＢインタフェース２２等と接続されている。
【００３４】
制御部１０は、上述したようなハードウェア各部を制御すると共に、ＲＯＭ１１に予め格納されている制御プログラムに従って、種々のソフトウェア的機能を実現する。ＲＯＭ１１は、制御部１０が本発明の画像処理装置として動作するために必要な種々の制御プログラムを記憶している。また、ＲＡＭ１２は、ＳＲＡＭ又はフラッシュメモリ等で構成されており、制御部１０による制御プログラムの実行時に発生するデータを一時的に記憶する。
【００３５】
モデム１４は、ファクシミリ通信が可能なファックスモデムで構成されており、ＮＣＵ１３とも直接的に接続されている。ＮＣＵ１３は、公衆電話交換網ＰＳＴＮと接続されており、必要に応じてモデム１４を公衆電話交換網ＰＳＴＮと接続し、公衆電話交換網ＰＳＴＮを介して外部のＭＦＰ３及びファクシミリ装置４との間でのファクシミリ通信を可能としている。
【００３６】
原稿読取部（原稿読取手段）１５は、ＣＣＤ(Charge Coupled Device)を利用したスキャナで構成されており、原稿を読み取ることにより画像データを取得し、取得した画像データを画像メモリ１６に記憶させる。画像メモリ１６は、ＤＲＡＭにより構成されており、モデム１４及びＮＣＵ１３を介したファクシミリ通信により受信した画像データ、及び原稿読取部１５により読み取った画像データを一時的に記憶する。
【００３７】
画像形成部１７は、例えば電子写真方式のプリンタ装置であって、画像メモリ１６に記憶させてある画像データに基づく画像を、ハードコピーとしてＡ３縦，Ｂ４縦，Ａ４縦，Ｂ５横及びＡ５横等の各サイズの記録用紙又はＯＨＰ(Over Head Projector) シート等の記録シートから最適なサイズのものを選択して記録する。
【００３８】
操作パネル１９は、ユーザの操作により制御命令等の情報が入力されるタッチパネル及びテンキー等の入力部と、液晶ディスプレイ（ＬＣＤ）等で構成され、ＭＦＰ１の動作状態、入力部から入力された情報、ユーザに通知すべき情報等の表示を行なう表示部とにより構成されている。操作部１８は、操作パネル１９の入力部に設けられたキー以外のキー、例えば、原稿の読取の開始を指示するスタートキー、各種の処理の中断を指示するストップキー、短縮ダイヤルキー及び各種のファンクションキー等を備えている。
【００３９】
上述した構成により、ＭＦＰ１は、図示しない所定の原稿載置台にユーザにより載置された原稿を原稿読取部１５により読み取り、得られた画像データをＮＣＵ１３及びモデム１４を介して公衆電話交換網ＰＳＴＮに接続されている他のＭＦＰ３及びファクシミリ装置４へ送信し、また、外部のＭＦＰ３及びファクシミリ装置４がファクシミリ通信にて送信した画像データを、公衆電話交換網ＰＳＴＮを介して受信するファクシミリ装置として機能する。
【００４０】
また、ＭＦＰ１は、原稿読取部１５により原稿を読み取り、得られた画像データに基づく画像を画像形成部１７で記録用紙に複写する複写装置としても機能する。また、ＭＦＰ１は、ＬＡＮインタフェース２０を介してＬＡＮに接続してあるＰＣ２，２から受信したデータに基づく画像を画像形成部１７で記録用紙に記録するネットワークプリンタとしても機能する。更に、ＭＦＰ１は、原稿読取部１５により原稿を読み取り、得られた画像データをＬＡＮインタフェース２０を介してＬＡＮに接続してあるＰＣ２，２へ送信するネットワークスキャナとしても機能する。
【００４１】
更に、ＭＦＰ１は、記憶容量の大きいＨＤＤ２１を備えており、上述したように、ファクシミリ通信により外部から受信した画像データ、原稿読取部１５により原稿から読み取った画像データ、及びＬＡＮを介して外部のＰＣ２，２から受信した画像データを適宜ＨＤＤ２１に記憶させて各種の処理を並行して行なっている。また、ＭＦＰ１は、上述したような各種の画像データを、ユーザが再利用できるように画像ファイルとしてＨＤＤ２１に蓄積させておくことにより、画像データのファイルサーバ装置としても機能する。
【００４２】
ここで、本実施形態のＭＦＰ１は、外部記憶媒体としてのＵＳＢメモリ５の着脱が可能な装着ポート（装着部）２２ａを備えており、図中の矢符Ａで示す方向でＵＳＢメモリ５をＭＦＰ１に装着することにより、ＵＳＢメモリ５のコネクタと装着ポート２２ａとが接続される。これにより、ＭＦＰ１は、原稿読取部１５により原稿を読み取って得られた画像データを、装着ポート２２ａに装着されたＵＳＢメモリ５にＵＳＢインタフェース２２を介して記憶させることもできる。
【００４３】
以下に、ＭＦＰ１において、原稿から読み取った画像データをＵＳＢメモリ５又は外部のＰＣ２，２に記憶させる処理について説明する。図３及び図４は操作パネル１９に表示される表示画面の構成例を示す模式図であり、図３（ａ）は、ＭＦＰ１をスキャナとして動作させる際の待機画面の例を示している。本実施形態のＭＦＰ１においては、原稿を読み取る際の読取条件として、画質、濃度、解像度及び読取サイズの設定が可能に構成してある。従って、図３（ａ）に示す待機画面には、画質の設定を行なうための画質キーと、濃度の設定を行なうための濃度キーと、解像度の設定を行なうための解像度キーと、読取サイズの設定を行なうための読取サイズキーとが表示してある。
【００４４】
また、図３（ａ）に示す待機画面には、原稿から読み取った画像データをＨＤＤ２１、ＵＳＢメモリ５又は外部のＰＣ２，２に記憶させる際に画像データに付与するファイル名を入力するためのファイル名キーが表示してある。本実施形態のＭＦＰ１においては、ユーザによりファイル名キーが操作された場合、操作パネル１９にソフトキーボードが表示され、任意のファイル名を入力できるように構成されている。なお、ユーザによってファイル名が入力されない場合は、制御部１０が、例えば日時情報に基づいてファイル名を生成する。
【００４５】
ここで、ＰＣ２，２に設けられたＨＤＤ（図示せず）及びＵＳＢメモリ５にはそれぞれ画像データが階層構造で記憶されており、本実施形態のＭＦＰ１は、原稿から読み取った画像データをＰＣ２，２のＨＤＤ及びＵＳＢメモリ５のそれぞれに設けられている任意のフォルダに記憶できるように構成されている。なお、以下では、説明の簡略化のため、ＵＳＢメモリ５にはフォルダが設けられていない構成を例に説明する。
【００４６】
図３（ａ）に示す待機画面には参照キーが表示されており、ユーザによって参照キーが操作された場合、ＭＦＰ１は、ＬＡＮを介して接続されているＰＣ２，２の有無及び装着ポート２２ａにＵＳＢメモリ５が装着されているか否かを検出する。そして、ＭＦＰ１は、図３（ｂ）に示すような記憶先指定画面を生成して操作パネル１９に表示させる。なお、装着ポート２２ａにＵＳＢメモリ５が装着されていない場合には、図３（ｂ）に示す記憶先指定画面が、記憶先としてＵＳＢメモリ５を選択できないように構成される。
【００４７】
図３（ｂ）に示す記憶先指定画面には、ＬＡＮを介して接続されているＰＣ２，２及び装着ポート２２ａに装着されているＵＳＢメモリ５が表示されており、ユーザは所望の記憶先に触れることにより、任意の記憶先を選択することができる。また、ＰＣ２，２のＨＤＤにはフォルダが設けられており、ユーザは所望のフォルダのフォルダ名に触れることにより、更に下位層のフォルダを選択することもできる。図３（ｂ）では、記憶先としてＵＳＢメモリ５が選択されている。図３（ｂ）に示す記憶先指定画面において、ユーザによって確定キーが操作された場合、操作パネル１９は、ユーザによって選択された記憶先を受け付けて制御部１０へ通知する。
【００４８】
ＭＦＰ１の制御部１０は、操作パネル１９を介してユーザが選択した記憶先を、ユーザからの入力又は制御部１０による生成処理によって生成されたファイル名と共に、原稿から読み取った画像データの記憶先としてＲＡＭ１２に記憶させておく。また、制御部１０は、図３（ｃ）に示すように、ユーザによって指定された記憶先が表示された待機画面を操作パネル１９に表示させる。なお、図３（ｃ）に示す待機画面は、画像データの記憶先としてＵＳＢメモリ５が選択された場合を示している。
【００４９】
ユーザは、図３（ｃ）に示す待機画面に基づいて、自身が設定した記憶先及び各種の読取条件が正しいか否かを確認し、正しければ操作部１８のスタートキーを操作して原稿の読取の開始を指示する。ＭＦＰ１の制御部１０は、ユーザによって操作部１８のスタートキーが操作された場合、所定の原稿載置台に載置された原稿を原稿読取部１５により読み取り、得られた画像データを画像メモリ１６に一旦記憶させる。また、制御部１０は、ＲＡＭ１２に記憶させておいたファイル名を指定し、画像メモリ１６に記憶させた画像データをＵＳＢメモリ５に記憶させる。
【００５０】
ここで、本実施形態のＭＦＰ１は、上述したように原稿から読み取った画像データをＵＳＢメモリ５に記憶させる場合、ＵＳＢメモリ５の残容量を検出し、原稿から読み取った画像データをＵＳＢメモリ５に記憶させることが可能であるか否かを判断するように構成されている。従って、制御部１０は、ＵＳＢメモリ５の残容量を検出する検出手段として動作すると共に、検出した残容量に基づいて、原稿から読み取った画像データがＵＳＢメモリ５に記憶可能であるか否かを判断する判断手段として動作する。
【００５１】
従って、ＭＦＰ１の制御部１０は、ＵＳＢメモリ５の残容量に基づいて、原稿から読み取った画像データをＵＳＢメモリ５に記憶させることが可能であると判断した場合にのみ、画像メモリ１６に記憶させた画像データに、ＲＡＭ１２に記憶させておいたファイル名を付与してＵＳＢメモリ５に記憶させる。
【００５２】
一方、制御部１０は、ＵＳＢメモリ５の残容量に基づいて、原稿から読み取った画像データをＵＳＢメモリ５に記憶させることが不可能であると判断した場合、ＵＳＢメモリ５に既に記憶してあるデータ（退避データ）をＨＤＤ２１に一時的に記憶（退避）させる退避手段として動作する。具体的には、制御部１０は、図４（ａ）に示す警告画面を生成して操作パネル１９に表示させる。図４（ａ）に示す警告画面は、ＵＳＢメモリ５の空き容量が十分ではないためにＵＳＢメモリ５内のデータを一時的にＭＦＰ１に退避させるか否かの選択をユーザに促す画面である。
【００５３】
操作パネル１９は、図４（ａ）に示す警告画面において、ＵＳＢメモリ５に記憶してある画像データをＭＦＰ１内にて一時的に退避させるか否かの指示を受け付ける退避指示受付手段として動作する。図４（ａ）に示す警告画面において、ユーザがいいえキーを操作した場合、制御部１０は、原稿から読み取った画像データのＵＳＢメモリ５への記憶処理を終了する。また、ユーザがはいキーを操作した場合、制御部１０は、ＵＳＢインタフェース２２を介してＵＳＢメモリ５へアクセスし、ＵＳＢメモリ５に既に記憶されている画像データのファイル名を取得し、図４（ｂ）に示す退避データ指定画面を生成して操作パネル１９に表示させる。なお、ＵＳＢメモリ５には画像データだけでなく、テキストデータが記憶されていてもよい。また、退避データ指定画面には、ファイル名だけでなく各ファイルのデータ量を表示するようにしてもよい。
【００５４】
図４（ｂ）に示す退避データ指定画面は、ＵＳＢメモリ５に４つの画像データが記憶されていることを示しており、その内のファイル名「scandata2.pdf」のファイルが退避させるべきデータ（以下、退避データという）として選択されている状態を示している。図４（ｂ）に示す退避データ指定画面において、ユーザによって画像データが選択されて確定キーが操作された場合、制御部１０は、操作パネル１９を介してユーザによって選択された退避データを退避させる指示を受け付ける。
【００５５】
制御部１０は、操作パネル１９を介してユーザが選択した退避データを、ＵＳＢインタフェース２２を介してＵＳＢメモリ５から読み出す読出手段として動作し、ＵＳＢメモリ５から読み出した退避データをＨＤＤ（データ記憶手段）２１に記憶させる。また、制御部１０は、ＵＳＢメモリ５から読み出した退避データをＵＳＢメモリ５から消去する消去手段として動作する。
【００５６】
また、制御部１０は、ＵＳＢメモリ５の残容量を再度検出し、原稿から読み取った画像データをＵＳＢメモリ５に記憶させることが可能であるか否かを判断する。原稿から読み取った画像データをＵＳＢメモリ５に記憶させることが可能であれば、制御部１０は、画像メモリ１６に記憶させた画像データに、ＲＡＭ１２に記憶させておいたファイル名を付与してＵＳＢメモリ５に記憶させる。一方、制御部１０は、原稿から読み取った画像データをＵＳＢメモリ５に記憶させることが不可能であると再度判断した場合、図４（ａ）に示す警告画面を再度操作パネル１９に表示させ、ＵＳＢメモリ５に記憶してある画像データのＭＦＰ１への退避処理を継続する。そして、制御部１０は、ＵＳＢメモリ５に十分な空き容量を確保した後、画像メモリ１６に記憶させた画像データに、ＲＡＭ１２に記憶させておいたファイル名を付与してＵＳＢメモリ５に記憶させる。
【００５７】
本実施形態のＭＦＰ１は、上述したように、ＵＳＢメモリ５に十分な空き容量を確保するためにＭＦＰ１のＨＤＤ２１に退避させた画像データを、必要に応じてＵＳＢメモリ５に戻すことができる。以下に、ＨＤＤ２１に記憶させた退避データをＵＳＢメモリ５に戻す処理について説明する。図５は操作パネル１９に表示される表示画面の構成例を示す模式図である。本実施形態のＭＦＰ１は、装着ポート２２ａにＵＳＢメモリ５が装着された場合、ＨＤＤ２１に退避データが既に記憶されているか否かを判断する。退避データが記憶されている場合には、制御部１０は、図５（ａ）に示すように、ＨＤＤ２１に退避データが記憶されている旨を通知する通知画面を操作パネル１９に表示させる。なお、ＨＤＤ２１に退避データが記憶されていない場合、ＭＦＰ１は、図３（ａ）に示す待機画面の操作パネル１９への表示を継続する。
【００５８】
図５（ａ）に示す通知画面は、ＨＤＤ２１に記憶してある退避データをＵＳＢメモリ５に戻すか否かの選択をユーザに促す画面である。操作パネル１９は、図５（ａ）に示す通知画面において、退避データをＵＳＢメモリ５に再度記憶させるか否かの指示を受け付ける記憶指示受付手段として動作する。図５（ａ）に示す通知画面において、ユーザがはいキーを操作した場合、制御部１０は、ＨＤＤ２１に記憶してある退避データを、ＵＳＢインタフェース２２を介してＵＳＢメモリ５に記憶させる。なお、ここで、ＵＳＢメモリ５に十分な空き容量がない場合、制御部１０は、図５（ｂ）に示すような警告画面を生成して操作パネル１９に表示させる。
【００５９】
図５（ａ）に示す通知画面において、ユーザがいいえキーを操作した場合、制御部１０は、退避データのＵＳＢメモリ５への記憶処理を行なわずに処理を終了する。また、ユーザが消去キーを操作した場合、制御部１０は、ＨＤＤ２１に記憶してある退避データを消去する。
【００６０】
これにより、原稿から読み取った画像データをＵＳＢメモリ５に記憶させる際に、ＵＳＢメモリ５に十分な空き容量がない場合であっても、外部の装置を用いることなく、ＵＳＢメモリ５に空き容量を確保することができる。また、ＵＳＢメモリ５に空き容量を確保するために一時的にＨＤＤ２１に退避させた画像データを必要に応じてＵＳＢメモリ５に戻すこともできる。
【００６１】
以下に、上述した構成のＭＦＰ１においてＵＳＢメモリ５に対して行なう制御処理について、フローチャートに基づいてより具体的に説明する。図６乃至図８は本発明に係るＭＦＰ１のＵＳＢメモリ５に対する制御処理の手順を示すフローチャートである。なお、以下の処理は、ＲＯＭ１１に格納されている制御プログラムに従って制御部１０によって実行される。
【００６２】
本実施形態のＭＦＰ１において、制御部１０は、装着ポート２２ａにＵＳＢメモリ５が装着されたか否かを判断しており（Ｓ１）、装着されていないと判断した場合（Ｓ１：ＮＯ）、図示しないが、他の処理を実行しつつＵＳＢメモリ５が装着されるまで待機する。制御部１０は、ＵＳＢメモリ５が装着されたと判断した場合（Ｓ１：ＹＥＳ）、ＨＤＤ２１に退避データが有るか否かを判断し（Ｓ２）、退避データが無いと判断した場合（Ｓ２：ＮＯ）、ステップＳ１２へ処理を移行する。
【００６３】
制御部１０は、ＨＤＤ２１に退避データが有ると判断した場合（Ｓ２：ＹＥＳ）、図５（ａ）に示す退避データの通知画面を操作パネル１９に表示させる（Ｓ３）。制御部１０は、図５（ａ）に示す通知画面において、ユーザによってはいキーが操作されたか否かを判断し（Ｓ４）、はいキーが操作されていないと判断した場合（Ｓ４：ＮＯ）、いいえキーが操作されたか否かを判断する（Ｓ５）。制御部１０は、いいえキーが操作されたと判断した場合（Ｓ５：ＹＥＳ）、ステップＳ１２へ処理を移行し、いいえキーが操作されていないと判断した場合（Ｓ５：ＮＯ）、即ち、ユーザによって消去キーが操作された場合、ステップＳ９へ処理を移行する。
【００６４】
制御部１０は、図５（ａ）に示す通知画面において、ユーザによってはいキーが操作されたと判断した場合（Ｓ４：ＹＥＳ）、ＵＳＢインタフェース２２を介してＵＳＢメモリ５の残容量を検出し（Ｓ６）、ＵＳＢメモリ５の残容量がＨＤＤ２１の退避データを記憶させるのに十分であるか否かを判断する（Ｓ７）。制御部１０は、ＵＳＢメモリ５の残容量が十分であると判断した場合（Ｓ７：ＹＥＳ）、ＨＤＤ２１に記憶してある退避データを、ＵＳＢインタフェース２２を介してＵＳＢメモリ５に記憶させ（Ｓ８）、その後に、この退避データをＨＤＤ２１から消去する（Ｓ９）。
【００６５】
制御部１０は、ＵＳＢメモリ５の残容量が十分でないと判断した場合（Ｓ７：ＮＯ）、図５（ｂ）に示すような警告画面を生成して操作パネル１９に表示させる（Ｓ１０）。制御部１０は、図５（ｂ）に示す警告画面において、ＯＫキーが操作されたか否かを判断し（Ｓ１１）、ＯＫキーが操作されていないと判断した場合（Ｓ１１：ＮＯ）、操作されるまで待機する。制御部１０は、ＯＫキーが操作されたと判断した場合（Ｓ１１：ＹＥＳ）、上述したような処理を終了する。
【００６６】
一方、ステップＳ２でＨＤＤ２１に退避データが無いと判断した場合（Ｓ２：ＮＯ）、又はステップＳ５でユーザによっていいえキーが操作されたと判断した場合（Ｓ５：ＹＥＳ）、制御部１０は、図３（ａ）に示す待機画面において、ユーザによって選択された読取条件を操作パネル１９を介して受け付け、ＲＡＭ１２に記憶することにより設定する（Ｓ１２）。制御部１０は、図３（ａ）に示す待機画面において、ユーザによって参照キーが操作されたか否かを判断し（Ｓ１３）、参照キーが操作されたと判断した場合（Ｓ１３：ＹＥＳ）、図３（ｂ）に示す記憶先指定画面を生成して操作パネル１９に表示させる（Ｓ１４）。なお、参照キーが操作されていない場合（Ｓ１３：ＮＯ）、制御部１０は、ステップＳ１９へ処理を移行し、スタートキーが操作されたか否かを判断する（Ｓ１９）。
【００６７】
制御部１０は、図３（ｂ）に示す記憶先指定画面において、ユーザによって確定キーが操作されたか否かを判断し（Ｓ１５）、確定キーが操作されていないと判断した場合（Ｓ１５：ＮＯ）、ユーザによってキャンセルキーが操作されたか否かを判断する（Ｓ１６）。制御部１０は、ユーザによってキャンセルキーが操作されていないと判断した場合（Ｓ１６：ＮＯ）、図３（ｂ）に示す記憶先指定画面において、ユーザによって確定キー又はキャンセルキーのいずれかが操作されるまで待機し、キャンセルキーが操作されたと判断した場合（Ｓ１６：ＹＥＳ）、何も行なわずに上述した処理を終了する。
【００６８】
制御部１０は、図３（ｂ）に示す記憶先指定画面において、ユーザによって確定キーが操作されたと判断した場合（Ｓ１５：ＹＥＳ）、記憶先指定画面を介してユーザによって選択された記憶先を受け付け、受け付けた記憶先を、図３（ａ）に示す待機画面を介してユーザが入力したファイル名又は制御部１０によって生成されたファイル名と共にＲＡＭ１２に記憶させる（Ｓ１７）。
【００６９】
次に、制御部１０は、図３（ｃ）に示す待機画面を生成して操作パネル１９に表示させる（Ｓ１８）。制御部１０は、ユーザによって操作部１８のスタートキーが操作されたか否かを判断し（Ｓ１９）、スタートキーが操作されたと判断した場合（Ｓ１９：ＹＥＳ）、原稿読取部１５によって原稿を読み取り、得られた画像データを画像メモリ１６に一旦記憶させる（Ｓ２０）。なお、制御部１０は、スタートキーが操作されていないと判断した場合（Ｓ１９：ＮＯ）、ステップＳ１３へ処理を移行し、スタートキー又は図３（ｃ）に示す待機画面における参照キーが操作されるまで待機する。
【００７０】
次に、制御部１０は、ステップＳ１７でＲＡＭ１２に記憶させた記憶先がＵＳＢメモリ５であるか否かを判断し（Ｓ２１）、記憶先がＵＳＢメモリ５ではないと判断した場合（Ｓ２１：ＮＯ）、例えば外部のＰＣ２である場合、ユーザによって指定されてＲＡＭ１２に記憶させた記憶先に、画像メモリ１６に記憶させた画像データをＬＡＮインタフェース２０を介して記憶させる（Ｓ２２）。
【００７１】
制御部１０は、記憶先がＵＳＢメモリ５であると判断した場合（Ｓ２１：ＹＥＳ）、ＵＳＢインタフェース２２を介してＵＳＢメモリ５の残容量を検出し（Ｓ２３）、ＵＳＢメモリ５の残容量が原稿から読み取って画像メモリ１６に記憶してある画像データを記憶させるのに十分であるか否かを判断する（Ｓ２４）。制御部１０は、ＵＳＢメモリ５の残容量が十分であると判断した場合（Ｓ２４：ＹＥＳ）、ステップＳ２０で画像メモリ１６に記憶させた画像データに、ステップＳ１７でＲＡＭ１２に記憶させたファイル名を付与してＵＳＢメモリ５に記憶させる（Ｓ２５）。
【００７２】
制御部１０は、ＵＳＢメモリ５の残容量が十分でないと判断した場合（Ｓ２４：ＮＯ）、図４（ａ）に示す警告画面を生成して操作パネル１９に表示させる（Ｓ２６）。制御部１０は、図４（ａ）に示す警告画面において、ユーザによってはいキーが操作されたか否かを判断し（Ｓ２７）、はいキーが操作されていないと判断した場合（Ｓ２７：ＮＯ）、いいえキーが操作されたか否かを判断する（Ｓ２８）。制御部１０は、ユーザによっていいえキーが操作されていないと判断した場合（Ｓ２８：ＮＯ）、図４（ａ）に示す警告画面において、はいキー又はいいえキーのいずれかが操作されるまで待機しており、ユーザによっていいえキーが操作されたと判断した場合（Ｓ２８：ＹＥＳ）、上述したような処理を終了する。
【００７３】
制御部１０は、図４（ａ）に示す警告画面において、ユーザによってはいキーが操作されたと判断した場合（Ｓ２７：ＹＥＳ）、ＵＳＢインタフェース２２を介してＵＳＢメモリ５に既に記憶されている画像データのファイル名を取得し、図４（ｂ）に示す退避データ指定画面を生成して操作パネル１９に表示させる（Ｓ２９）。制御部１０は、図４（ｂ）に示す退避データ指定画面において、ユーザによって確定キーが操作されたか否かを判断し（Ｓ３０）、確定キーが操作されていないと判断した場合（Ｓ３０：ＮＯ）、キャンセルキーが操作されたか否かを判断する（Ｓ３１）。
【００７４】
制御部１０は、ユーザによってキャンセルキーが操作されていないと判断した場合（Ｓ３１：ＮＯ）、図４（ｂ）に示す退避データ指定画面において、確定キー又はキャンセルキーのいずれかが操作されるまで待機しており、キャンセルキーが操作されたと判断した場合（Ｓ３１：ＹＥＳ）、上述したような処理を終了する。制御部１０は、図４（ｂ）に示す退避データ指定画面において、確定キーが操作されたと判断した場合（Ｓ３０：ＹＥＳ）、図４（ｂ）に示す退避データ指定画面を介してユーザによって選択された画像データを、ＵＳＢインタフェース２２を介してＵＳＢメモリ５から読み出してＨＤＤ２１に記憶させる（Ｓ３２）。
【００７５】
また、制御部１０は、ＵＳＢメモリ５から読み出した画像データをＵＳＢメモリ５から消去し（Ｓ３３）、ステップＳ２３へ処理を戻し、ＵＳＢインタフェース２２を介してＵＳＢメモリ５の残容量を再度検出する（Ｓ２３）。制御部１０は、ステップＳ２０で原稿から読み取って画像メモリ１６に記憶した画像データを記憶させるのに十分な残容量がＵＳＢメモリ５に有るか否かを再度判断し（Ｓ２４）、ＵＳＢメモリ５に十分な残容量が確保されるまで、上述したステップＳ２３からステップＳ３３までの処理を繰り返す。
【００７６】
上述したように、ＭＦＰ１が原稿から読み取った画像データをＵＳＢメモリ５に記憶させる際にＵＳＢメモリ５の空き容量が十分でない場合、ＵＳＢメモリ５に既に記憶してある画像データをＭＦＰ１のＨＤＤ２１に一時的に退避させることにより、例えばＰＣ２を利用してＵＳＢメモリ５の空き容量を増加させる必要がないので、ユーザの負担を軽減することができる。
【００７７】
上述した実施形態では、ＭＦＰ１に着脱可能な可搬型の外部記憶媒体としてＵＳＢ接続が可能なＵＳＢメモリ５を用いた例について説明したが、例えばＵＳＢケーブルを介してＭＦＰ１との接続が可能な音楽プレーヤ、携帯電話機、デジタルスチルカメラ、デジタルビデオカメラ等を用いることもできる。また、ＵＳＢ接続に限られず、ＩＣメモリカード、メモリスティック、フレキシブルディスク、ＭＯ（Magnet Optical disk）、ＭＦＰ１に着脱可能なハードディスク等を用いることもできる。
【００７８】
また、上述した実施形態では、ＵＳＢメモリ５からＨＤＤ２１に画像データを退避させる構成のＭＦＰ１について説明したが、画像データの退避先としては、例えばＬＡＮを介して接続してあるＰＣ２，２及び他のＭＦＰ３等の外部の装置であってもよい。この場合、ＵＳＢメモリ５から一時的に退避させた画像データを外部の装置へ出力し、外部の装置でも利用することができる。また、ＨＤＤ２１にフォルダが設けられている場合には、退避先としてＨＤＤ２１内の所定のフォルダを指定できるようにしてもよい。
【００７９】
更に、上述した実施形態では、ＭＦＰ１のＨＤＤ２１に記憶してある１つの退避データに対してＵＳＢメモリ５に戻す処理を行なうか否かを選択する構成のＭＦＰ１について説明したが、複数の退避データがＨＤＤ２１に記憶されている場合には、ＵＳＢメモリ５に戻す退避データを任意に選択できるように構成することもできる。
【００８０】
更に、上述した実施形態では、装着ポート２２ａにＵＳＢメモリ５が装着された場合に、ＨＤＤ２１に退避データが有るか否かを判断し、退避データが有る場合に、退避データをＵＳＢメモリ５に戻す処理を行なう構成のＭＦＰ１について説明したが、例えば、ＨＤＤ２１に退避させる退避データに、各退避データの退避元のＵＳＢメモリ５を示すメモリ情報を付加しておき、装着ポート２２ａにＵＳＢメモリ５が装着された場合に、装着されたＵＳＢメモリ５を示すメモリ情報と、ＨＤＤ２１に記憶された退避データに付加されたメモリ情報とが一致した場合に前記退避データをＵＳＢメモリ５に戻す処理を行なうように構成することもできる。
【図面の簡単な説明】
【００８１】
【図１】本発明に係る画像処理装置としてのＭＦＰを含むネットワーク構成例を示す模式図である。
【図２】本発明に係るＭＦＰの内部構成例を示すブロック図である。
【図３】操作パネルに表示される表示画面の構成例を示す模式図である。
【図４】操作パネルに表示される表示画面の構成例を示す模式図である。
【図５】操作パネルに表示される表示画面の構成例を示す模式図である。
【図６】本発明に係るＭＦＰのＵＳＢメモリに対する制御処理の手順を示すフローチャートである。
【図７】本発明に係るＭＦＰのＵＳＢメモリに対する制御処理の手順を示すフローチャートである。
【図８】本発明に係るＭＦＰのＵＳＢメモリに対する制御処理の手順を示すフローチャートである。
【符号の説明】
【００８２】
１  ＭＦＰ（画像処理装置）
５  ＵＳＢメモリ（外部記憶媒体）
１０  制御部（記憶制御手段、検出手段、判断手段、退避手段、読出手段、消去手段）
１５  原稿読取部（原稿読取手段）
１９  操作パネル（退避指示受付手段、記憶指示受付手段）
２１  ＨＤＤ（データ記憶手段）
２２ａ  装着ポート（装着部）
【図１】
2008028557.tif 000003
【図２】
2008028557.tif 000004
【図３】
2008028557.tif 000005
【図４】
2008028557.tif 000006
【図５】
2008028557.tif 000007
【図６】
2008028557.tif 000008
【図７】
2008028557.tif 000009
【図８】
2008028557.tif 000010